(57)【要約】      （修正有）【解決手段】本体フレ−ム部１と幕体支持部２とスライド棒部３とを備えてなり、本体フレ−ム部１は、少なくとも２体に分離され、幕体支持部２は、本体フレ−ム部１の内側において幕体６を支持し、スライド棒部３は、本体フレ−ム部１の少なくとも２体に分離されたフレ−ム部間に介在して本体フレ−ム部１中をスライド可能とされ、且つ、本体フレ−ム部１に取付けられたスライド棒部止部４により本体フレ−ム部１の内部で固定されることが可能に構成されていると共に、本体フレ−ム部１に、スライド棒部３のスライドに合わせて幕体支持部２に支持された幕体６の端部を自由に動くことを可能とする幕体自在動き可能部材５を取付けてなる伸縮可能な縦型・横型衝立。【効果】縦型の衝立の場合には縦方向の伸縮が可能で、又、横型の衝立の場合には横方向の伸縮が可能で、フェンスとするようなときに目隠しする横方向の長さを容易に調節できる。【選択図】図１
2007023680.tif 000002
【特許請求の範囲】
【請求項１】
本体フレ−ム部と幕体支持部とスライド棒部とを備えてなり、当該本体フレ−ム部は、少なくとも２体に分離され、当該幕体支持部は、当該本体フレ−ム部の内側において幕体を支持し、当該スライド棒部は、前記の本体フレ−ム部の少なくとも２体に分離されたフレ−ム部間に介在して当該本体フレ−ム部中をスライド可能とされ、且つ、当該本体フレ−ム部に取付けられたスライド棒部止部により当該本体フレ−ム部の内部で固定されることが可能に構成されていると共に、当該本体フレ−ム部に、前記スライド棒部のスライドに合わせて前記幕体支持部に支持された幕体の端部を自由に動くことを可能とする幕体自在動き可能部材を取付けてなることを特徴とする伸縮可能な縦型・横型衝立。
【請求項２】
本体フレ−ム部と幕体支持部とスライド棒部の各々が、パイプにより構成されてなることを特徴とする、請求項１に記載の伸縮可能な縦型・横型衝立。
【発明の詳細な説明】
【技術分野】
【０００１】
本発明は、伸縮可能な縦型・横型衝立に関し、縦型であれば縦方向に伸縮可能で、一方、横型であれば横方向に伸縮可能な衝立に関するものである。
【背景技術】
【０００２】
衝立は、会社や病院や家庭などで、目隠し・間仕切り等の各種用途で広く使用されている。
しかしながら、病院の診察室や事務所などでは、設置場所に応じて視界を遮りたい範囲を可変できること等が当業者のみならずその周囲の人間に安心感を与えたりするので重要であるが、一般に、従来の衝立では、目隠しする高さに自由度がなく、又、横型では横幅に自由度があるようなものは少なく、更には、縦型の衝立は縦型の衝立に固定され、横型の衝立にもなり得るものは少ない。
【発明の開示】
【発明が解決しようとする課題】
【０００３】
本発明は、上記従来技術の有する欠点を解消することができる新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）本体フレ−ム部と幕体支持部とスライド棒部とを備えてなり、当該本体フレ−ム部は、少なくとも２体に分離され、当該幕体支持部は、当該本体フレ−ム部の内側において幕体を支持し、当該スライド棒部は、前記の本体フレ−ム部の少なくとも２体に分離されたフレ−ム部間に介在して当該本体フレ−ム部中をスライド可能とされ、且つ、当該本体フレ−ム部に取付けられたスライド棒部止部により当該本体フレ−ム部の内部で固定されることが可能に構成されていると共に、当該本体フレ−ム部に、前記スライド棒部のスライドに合わせて前記幕体支持部に支持された幕体の端部を自由に動くことを可能とする幕体自在動き可能部材を取付けてなることを特徴とする伸縮可能な縦型・横型衝立。
（請求項２）本体フレ−ム部と幕体支持部とスライド棒部の各々が、パイプにより構成されてなることを特徴とする、請求項１に記載の伸縮可能な縦型・横型衝立。
【発明の効果】
【０００５】
本発明によれば、本体フレ−ム部は、一体ではなく、少なくとも２体に分離して、当該本体フレ−ム部の２体に分離されたフレ−ム部間にスライド棒部を介在させて当該本体フレ−ム部において自在にスライドできるようにし、一方では、スライド棒部止部により当該本体フレ−ム部に固定できるようにしたので、縦型の衝立の場合には縦方向の伸縮が可能で、又、横型の衝立の場合には横方向の伸縮が可能で、その際に、少なくとも２体に分離された本体フレ−ム部の片方が動き、それに伴い幕体の端部が動いてきても、幕体の端部の移動に伴って自由に動くことができるようにしてあり、縦型の衝立における縦方向の伸縮が可能で、目隠しするような場合の高さ調節が容易となり、又、横型の衝立における横方向の伸縮が可能で、フェンスとするようなときに目隠しする横方向の長さを容易に調節できる。
請求項２に記載のように、本体フレ−ム部と幕体支持部とスライド棒部の各々をパイプにより構成することにより、組立作業性も良くなり、軽く、持ち運び易く、丈夫であるなどの利点を更に奏することができる。
【発明を実施するための最良の形態】
【０００６】
図２は、本発明による衝立の組立構成図を示したもので、又、図３は、本発明による衝立の分解構成図を示したものである。
当該衝立は、本体フレ−ム部１と幕体支持部２とスライド棒部３とを有して構成されている。
当該本体フレ−ム部１と幕体支持部２とスライド棒部３の各々はパイプにより構成されている。
以下、本体フレ−ム部を第１のパイプ（１）と、又、幕体支持部は第２のパイプ（２）と、更には、スライド棒部は第３のパイプ（３）として説明する。
図３に示すように、第１のパイプ（１）は、上下２体に分離され、ここで例示するような逆Ｕ字形のパイプ１００とＵ字形のパイプ１０１とを有してなる。
図示のように、第２のパイプ（２）が、ここで例示するようにその４本２０１，２０２、２０３、２０４が上下方向に当該第１のパイプ（１）に横架される。
又、図示のように、第３のパイプ（３）が、上記の第１のパイプ（Ａ）の２体に分離された逆Ｕ字形のパイプ１００とＵ字形のパイプ１０１との間に介装される。
【０００７】
図２及び図３に示すように、第２のパイプ（２）における最上の１番目の第２のパイプ２０１は、第１のパイプ（１）における逆Ｕ字形のパイプ１００の下部に横架される。図示のように、当該１番目の第２のパイプ２０１は、当該逆Ｕ字形のパイプ１００の内部に横架される。
図４（Ａ）にその詳細を示すように、当該第１のパイプ（１）における逆Ｕ字形のパイプ１００の下部には穴１０００が両側に開けられている。
図４（Ｂ）及び（Ｃ）に示すように、当該１番目の第２のパイプ２０１は、バネ式で、ばね２０００を内蔵し、片端部を内部に引き込ませることができる。
図４（Ｄ）に示すように、第３のパイプ（３）にも、当該第２のパイプ（２）を横架させるための穴３０００が開設されており、図４（Ｅ）に示すように、当該１番目の第２のパイプ２０１は、第１のパイプ（１）における逆Ｕ字形のパイプ１００の下部の穴１０００及び第３のパイプ（３）の穴３０００を挿通させて当該第１のパイプ（１）に横架される。
【０００８】
図２及び図３に示すように、第３のパイプ（３）が、第１のパイプ（１）の２体に分離された逆Ｕ字形のパイプ１００とＵ字形のパイプ１０１との間に介装されるが、当該第３のパイプ（３）は、第１のパイプ（１）の径よりも小さく構成されているので、当該第１のパイプ（１）中を自由にスライドできる。
前記のように、第３のパイプ（３）にも当該１番目の第２のパイプ２０１を横架させるための穴３０００が開設されており、当該第３のパイプ（３）の穴３０００を挿通して、当該１番目の第２のパイプ２０１が第１のパイプ（１）に横架されているので、当該第３のパイプ（３）の第１のパイプ（１）中のスライドに伴い、当該第１のパイプ（Ａ）の２体に分離された逆Ｕ字形のパイプ１００も移動し、又、当該逆Ｕ字形のパイプ１００に横架された当該１番目の第２のパイプ２０１もそれに伴い移動する。
【０００９】
図２及び図３に示すように、当該第１のパイプ（１）の下部のＵ字形のパイプ１０１の上部には、第３のパイプ止具４が取付けられる。
当該第３のパイプ止具４は、図５（Ａ）に示すように、当該第１のパイプ（１）のＵ字形のパイプ１０１の外部に装着される。
図５（Ａ）に示すように、当該第３のパイプ止具４には、当該第１のパイプ（１）のＵ字形のパイプ１０１が挿着され、又、第３のパイプ（３）が挿着される。
前記のように、当該第１のパイプ（１）の当該Ｕ字形のパイプ１０１は第３のパイプ（３）よりもその径が大きく構成されており、当該第３のパイプ止具４には、径の大小異なる第１のパイプ（１）と第３のパイプ（３）とが装着される。
図５（Ａ）及び（Ｂ）に示すように、当該第３のパイプ止具４を回転させると、第１のパイプ（１）のＵ字形のパイプ１０１が締め付けられ、当該第３のパイプ（３）が
当該第１のパイプ（１）のＵ字形のパイプ１０１の内部で固定される。
図５（Ｂ）に示すように、当該第１のパイプ（１）のＵ字形のパイプ１０１の上端部は、例えば、３つの短冊状片に構成すると、当該第３のパイプ止具４による締め付け・固定が良好となる。
図５（Ｃ）は、当該第３のパイプ止具４の他の実施例を示し、そのハンドル４００のノブ４０１を回転させると開閉が行われ、当該第３のパイプ止具４により、第３のパイプ（３）が第１のパイプ（１）のＵ字形のパイプ１０１の内部で固定されるようになっている。当該ハンドル４００の操作により、当該第３のパイプ（３）の解放を行うことも出来る。
【００１０】
図２及び図３に示すように、第２のパイプ（２）の上から２番目のパイプ２０２は、第１のパイプ（１）におけるＵ字形のパイプ１０１の上部に横架する。
図２及び図３並びに図６（Ａ）に示すように、当該第１のパイプ（１）におけるＵ字形のパイプ１０１の上部左右両側には、当該第２のパイプ（２）の上から２番目のパイプ２０２取付用のパイプ１００１が設けられている。
図６（Ｂ）に示すように、当該パイプよりなる第２のパイプ取付部１００１に当該第２のパイプ（２）の上から２番目のパイプ２０２が横架される。当該２番目のパイプ２０２は、特に、前記最上の１番目の第２のパイプ２０１のようなバネ式であることを要求されない。
【００１１】
図２及び図３に示すように、第１のパイプ（１）のＵ字形のパイプ１０１の前記第３のパイプ止具４の下部には、幕体自在動き可能部材５が取り付けられる。
当該幕体自在動き可能部材５は、図７（Ａ）に示すように、リング状本体５００と当該リング状本体５００に突設された突設部５０１とを備えてなる。当該突設部５０１は、パイプにより構成される。
当該幕体自在動き可能部材５におけるリング状本体５００は、当該第１のパイプ（１）のＵ字形のパイプ１０１の径よりも大きく構成され、図７（Ｂ）に示すように、当該第１のパイプ（１）のＵ字形のパイプ１０１の外部に装着される。当該第１のパイプ（１）のＵ字形のパイプ１０１に装着された当該幕体自在動き可能部材５は、当該第１のパイプ（１）のＵ字形のパイプ１０１において上下に自由に動くことが出来る。
当該幕体自在動き可能部材５における突設されたパイプ５０１には、図２及び図３に示すように、第２のパイプ（２）の上から３番目のパイプ２０３が装着される。
図２及び図３に示すように、第２のパイプ（２）の上から３番目のパイプ２０３は、第１のパイプ（１）におけるＵ字形のパイプ１０１の内部に横架される。
当該幕体自在動き可能部材５は、第１のパイプ（１）のＵ字形のパイプ１０１において自由に上下に動き、当該幕体自在動き可能部材５の自由な動きに対して当該第２のパイプ（２）の上から３番目のパイプ２０３も当該第１のパイプ（１）のＵ字形のパイプ１０１の内部を自由に動くことができる。
【００１２】
図２及び図３に示すように、第２のパイプ（２）の上から４番目（最下段）のパイプ２０４は、第１のパイプ（１）におけるＵ字形のパイプ１０１の下部に横架される。
ここではその図示が省略されているが、当該第２のパイプ（２）の上から４番目のパイプ２０４は、前記の第２のパイプ（２）における最上の１番目の第２のパイプ２０１と同様に、第１のパイプ（１）における下部のＵ字形のパイプ１０１に穴を開け、当該穴に装着する。当該４番目のパイプ２０４は、当該１番目の第２のパイプ２０１と同様にバネ式でばねを内蔵し片端部を内部に引き込ませ、当該第１のパイプ（１）に横架させることができる。
更にその図示が省略されているが、第３のパイプ（３）にも当該第２のパイプ（２）を横架させるための穴を開設して、当該４番目の第２のパイプ２０４を、当該第１のパイプ（１）におけるＵ字形のパイプ１０１に設けられた穴及び当該第３のパイプ（３）の穴を挿通させて、当該第１のパイプ（１）に横架されることができる。
【００１３】
図９に示すように、当該衝立には、幕体６が掛設される。
当該幕体６は、図８（Ａ）及び（Ｂ）に例を示すように、２体に構成されている。
その幕体６Ａは、図１、図２及び図９に示すように、第２のパイプ（２）の上から１番目の横架パイプ２０１にその上端縁部が掛けられ、又、その下端縁部は、第２のパイプ（２）の上から３番目の横架パイプ２０３に掛けられる。
当該幕体６Ａは、上記のように、第２のパイプ（２）の上から１番目のパイプ２０１にその上端縁部が掛けられているので、第３のパイプ（３）の第１のパイプ（１）中のスライドに伴い、スライドする。当該スライドに伴い、当該幕体６Ａには、「たるみ」を生じてしまうが、前記のように、当該幕体６Ａの下端縁部が第２のパイプ（２）の上から３番目のパイプ２０３に掛けられ、当該３番目のパイプ２０３は、幕体自在動き可能部材５に取付けられており、当該幕体自在動き可能部材５は自在に当該第１のパイプ（１）のＵ字形のパイプ１０１の内部を動けるようになっているので、第３のパイプ（３）の第１のパイプ（１）中のスライドに伴い、当該幕体６Ａの下端部も当該幕体自在動き可能部材５の自由な動きと共にスライドし、当該幕体６Ａには「たるみ」を生じさせない。
一方の幕体の幕体６Ｂは、図１、図２及び図９に示すように、その上端縁部が第２のパイプ（２）の上から２番目の横架パイプ２０２に掛けられ、又、その下端縁部は第２のパイプ（２）の上から４番目（最下段）の横架パイプ２０４に掛けられる。
当該幕体６Ａ及び幕体６Ｂは、図示のように、一部が重なるようになっている。
当該幕体６Ａ及び幕体６Ｂは、各々一枚に構成して上下の端縁部のみを第２のパイプ（２）に掛設してもよいし、又、各々袋状にして掛設してもよい。
【００１４】
図１に示すように、図９に示す状態から、第３のパイプ（３）を第１のパイプ（１）のＵ字形のパイプ１０１の中を下降させ、第１のパイプ（１）の逆Ｕ字形のパイプ１００を下降させると、当該幕体６Ａは、幕体自在動き可能部材５の下降に伴い下方に降下することができる。
当該第３のパイプ（３）を、当該第１のパイプ（１）の２体に分離されたパイプ１００、１０１間に介在させて、当該第１のパイプ（１）の中を自在にスライド可能とすることにより、縦型の衝立において、衝立の高さ調節が可能で、同時に、幕体６Ａの高さ調節も可能で、又、幕体自在動き可能部材５により、当該幕体６Ａの高さの変動に合わせることができ、更には、第３のパイプ止具４により、当該第３のパイプ（３）を希望する適宜位置で停止させることができる。
当該衝立や幕体６Ａの高さ調節が可能な結果、目隠しできる範囲を適宜調節できる。
【００１５】
図１０は、図１の実施例における第３のパイプ（３）よりも第３のパイプ（３）の長さを短く構成して、図９の実施例よりも更に衝立を低くし、幕体６Ａの位置を下げてなる実施例を示す。
【００１６】
本発明の衝立は、図１１に示すように、横型の衝立にもなり、横方向にも伸縮可能となすことができる。
当該横型の衝立の構成は、前記の縦型の衝立とほぼ同様なので、その説明を省略する。
【００１７】
衝立には、その脚部として、図１２（Ａ）〜（Ｄ）に例示するような各種の脚部（足）７を使用することができる。当該脚部７は、移動できるキャスタ−式や固定式のアジャスタ−式などが使用できる。衝立には、縦型であれ横型であれ、脚部７を取付できるように例えばネジ穴や取付板などを設けておくことができる。
【００１８】
本発明で使用される幕体６は、代表的には、布製よりなるが、紙製、ガラス製、木製などよりなっていてもよい。無彩色、有彩色の無地からなっていてもよいし、又、装飾の施されたものでもよい。幕体中に木炭を混入させてマイナスイオンを発生させるとか、穴開きのパネルとして吸音・遮音機能を持たせるとか、電磁波シ−ルド機能を持たせるとかの付加機能を持たせるようにしてもよい。
【００１９】
本発明では、適宜変更が可能である。パイプは、丸パイプでも角パイプでも適宜変更が可能である。
【産業上の利用可能性】
【００２０】
本発明は、衝立の他に、フェンス、屏風、間仕切り（パ−テ−ション）、ブラインド、パネル、ボ−ド、スクリ−ン等としても使用できる。
【図面の簡単な説明】
【００２１】
【図１】本発明の実施例を示す縦型衝立の組立構成図である。
【図２】本発明の実施例を示す縦型衝立の組立構成図である。
【図３】本発明の実施例を示す縦型衝立の分解構成図である。
【図４】（Ａ）〜（Ｅ）各々本発明の縦型衝立の要部説明図である。
【図５】（Ａ）〜（Ｃ）各々本発明に使用されるスライド棒部止具の実施例を示す断面図である。
【図６】（Ａ）〜（Ｂ）各々本発明の縦型衝立の要部説明図である。
【図７】（Ａ）〜（Ｂ）各々本発明に使用される幕体自在動き可能部材の構成図である。
【図８】（Ａ）〜（Ｂ）各々本発明に使用される幕体の説明図である。
【図９】本発明の実施例を示す縦型衝立の組立構成図である。
【図１０】本発明の実施例を示す縦型衝立の組立構成図である。
【図１１】本発明の実施例を示す横型衝立の組立構成図である。
【図１２】（Ａ）〜（Ｄ）各々本発明に使用される脚部の説明図である。
【符号の説明】
【００２２】
１    本体フレ−ム部（第１のパイプ）
２    幕体支持部（第２のパイプ）
３    スライド棒部（第３のパイプ）
４    スライド棒部止具
５    幕体自在動き可能部材
【図１】
2007023680.tif 000003
【図２】
2007023680.tif 000004
【図３】
2007023680.tif 000005
【図４】
2007023680.tif 000006
【図５】
2007023680.tif 000007
【図６】
2007023680.tif 000008
【図７】
2007023680.tif 000009
【図８】
2007023680.tif 000010
【図９】
2007023680.tif 000011
【図１０】
2007023680.tif 000012
【図１１】
2007023680.tif 000013
【図１２】
2007023680.tif 000014